(57)【要約】【課題】ユーザーがより直感的な操作方法で特定の被写体の確認を行うための表示に遷移させることができるようにする。【解決手段】画像の全体が通常表示されている間にＴＥＬＥ操作が行われたことに応じて、画像の一部を拡大表示するように制御し、さらに前記画像が拡大表示されている間にＳＥＴボタン押下されたことに応じて、画像の拡大範囲を、前記画像の範囲内の合焦位置に移動させるよう制御する。なお、ＳＥＴボタンは、画像の全体が通常表示されている間に押下されると、ＦＵＮＣメニューを表示させる機能を有する。【選択図】図１
2015041150.tif 000002
【特許請求の範囲】
【請求項１】
表示手段に画像の全体が表示される全体表示を行っている際に第１の操作手段に対する操作が行われたことに応じて、該画像の一部を拡大して表示する拡大表示に切り替えるように制御する表示制御手段と、
前記拡大表示を行っている際に前記第１の操作手段とは異なる第２の操作手段に対する操作が行われたことに応じて、前記拡大表示の表示範囲を、前記画像の合焦位置に移動させる制御手段と、
を有することを特徴とする表示制御装置。
【請求項２】
前記制御手段は、前記拡大表示の表示範囲を前記画像の合焦位置に変更した後、更に前記第２の操作手段に対する操作が行われると、前記拡大表示の表示範囲を前記画像の他の合焦位置に変更することを特徴とする請求項１に記載の表示制御装置。
【請求項３】
前記制御手段は、前記拡大表示の表示範囲を前記画像の合焦位置に変更した後、更に前記第２の操作手段に対する操作が行われると、前記拡大表示の表示範囲を前記画像から検出された顔の位置に変更することを特徴とする請求項１または２に記載の表示制御装置。
【請求項４】
前記表示制御手段は、前記第１の操作手段に対する操作に応じて前記全体表示から前記拡大表示に切り替えた際に、拡大された画像とともに、該拡大表示における前記第２の操作手段の操作に応じて行われる機能のガイドを表示することを特徴とする請求項１乃至３の何れか１項に記載の表示制御装置。
【請求項５】
前記表示制御手段は、前記拡大表示を行っている際に前記第２の操作手段に対する操作が行われたことに応じて、前記ガイドの表示形態を変更する、あるいは前記第２の操作手段の機能を示す他のガイドを表示するように制御することを特徴とする請求項４に記載の表示制御装置。
【請求項６】
前記制御手段は、前記全体表示を行っている際に前記第２の操作手段が操作されたことに応じて、表示範囲を前記画像の合焦位置に移動させる制御とは異なる制御を行うことを特徴とする請求項１乃至５の何れか１項に記載の表示制御装置。
【請求項７】
前記制御手段は、前記全体表示を行っている際に前記第２の操作手段が操作されたことに応じて、前記画像に対する処理を選択するメニューを表示するように制御することを特徴とする請求項６に記載の表示制御装置。
【請求項８】
前記制御手段は、前記拡大表示を行っている際に前記第２の操作手段に対する操作が行われても、前記画像に合焦位置が無かった場合には、前記拡大表示の表示範囲を変更しないようにすることを特徴とする請求項１乃至７の何れか１項に記載の表示制御装置。
【請求項９】
前記表示制御手段は、前記第１の操作手段に対する操作に応じて前記全体表示から前記拡大表示に切り替えた際に、前記画像に合焦位置が無かった場合には、前記ガイドを表示しないようにすることを特徴とする請求項４に記載の表示制御装置。
【請求項１０】
前記制御手段は、前記拡大表示を行っている際に第３の操作手段に対する操作が行われたことに応じて、前記第３の操作手段に対する操作に応じた位置に前記拡大表示の表示範囲を変更するように制御することを特徴とする請求項１乃至９の何れか１項に記載の表示制御装置。
【請求項１１】
前記表示制御手段は、前記第１の操作手段に対する操作に応じて前記全体表示から前記拡大表示に切り替えた際に、拡大された画像とともに、該拡大表示における前記第２の操作手段の操作に応じて行われる機能のガイドを表示し、前記拡大表示を行っている際に前記第２の操作手段に対する操作が行われたことに応じて、前記ガイドに代えて、次に前記第２の操作手段が操作された場合の拡大範囲の移動先が合焦位置であるか顔の位置であるかに応じて異なるガイドを表示するように制御することを特徴とする請求項３に記載の表示制御装置。
【請求項１２】
前記表示制御装置は、撮像手段を有する撮像装置であることを特徴とする請求項１乃至１１の何れか１項に記載の表示制御装置。
【請求項１３】
表示手段に画像の全体が表示される全体表示を行っている際に第１の操作手段に対する操作が行われたことに応じて、該画像の一部を拡大して表示する拡大表示に切り替えるように制御する表示制御手段と、
前記拡大表示を行っている際に前記第１の操作手段とは異なる第２の操作手段に対する操作が行われたことに応じて、前記拡大表示の表示範囲を、前記画像に含まれる顔の位置に移動させる制御手段と、
を有することを特徴とする表示制御装置。
【請求項１４】
表示手段に画像の全体が表示される全体表示を行っている際に第１の操作手段に対する操作が行われたことに応じて、該画像の一部を拡大して表示する拡大表示に切り替えるように制御する表示制御ステップと、
前記拡大表示を行っている際に前記第１の操作手段とは異なる第２の操作手段に対する操作が行われたことに応じて、前記拡大表示の表示範囲を、前記画像の合焦位置に移動させる制御ステップと、
を有することを特徴とする表示制御装置の制御方法。
【請求項１５】
表示手段に画像の全体が表示される全体表示を行っている際に第１の操作手段に対する操作が行われたことに応じて、該画像の一部を拡大して表示する拡大表示に切り替えるように制御する表示制御ステップと、
前記拡大表示を行っている際に前記第１の操作手段とは異なる第２の操作手段に対する操作が行われたことに応じて、前記拡大表示の表示範囲を、前記画像に含まれる顔の位置に移動させる制御ステップと、
を有することを特徴とする表示制御装置の制御方法。
【請求項１６】
コンピュータを、請求項１乃至１３の何れか１項に記載の表示制御装置の各手段として機能させるためのプログラム。
【請求項１７】
コンピュータを、請求項１乃至１３の何れか１項に記載の表示制御装置の各手段として機能させるためのプログラムを格納したコンピュータが読み取り可能な記憶媒体。
【発明の詳細な説明】
【技術分野】
【０００１】
本発明は、特に、拡大画像を表示するために用いて好適な表示制御装置、表示制御装置の制御方法およびプログラムに関する。
【背景技術】
【０００２】
従来、撮影画像の合焦位置を確認するためにフォーカスチェッカー（合焦位置を確認する画面）において注目領域の拡大画像を表示する機能を備えたカメラが知られている。特許文献１には、再生モードにおいて情報表示切換えボタンが押下されると、フォーカスチェッカーで専用の画面に遷移させてから注目領域を拡大表示することが開示されている。
【先行技術文献】
【特許文献】
【０００３】
【特許文献１】特開２００９−１７１２３号公報
【発明の概要】
【発明が解決しようとする課題】
【０００４】
しかしながら、特許文献１に記載の方法では情報表示切換えボタンを何度か押す必要があり、さらに拡大操作するような実現方法であるため、ユーザーにとって操作の手番が多いという問題がある。また、フォーカスを確認するために情報表示切換えボタンを用意しているが、ユーザーに気づいてもらいにくいといった問題もある。情報表示切換えボタンの操作によってフォーカス確認画面に遷移できることを知らないユーザーは、合焦の具合や被写体の顔の表情を確認したい場合に、まず画像を拡大するといった操作をすると想定される。そのため、その後の操作が煩雑になってしまう。
【０００５】
本発明は前述の問題点に鑑み、ユーザーがより直感的な操作方法で特定の被写体の確認を行うための表示に遷移させることができるようにすることを目的としている。
【課題を解決するための手段】
【０００６】
本発明に係る表示制御装置は、表示手段に画像の全体が表示される全体表示を行っている際に第１の操作手段に対する操作が行われたことに応じて、該画像の一部を拡大して表示する拡大表示に切り替えるように制御する表示制御手段と、前記拡大表示を行っている際に前記第１の操作手段とは異なる第２の操作手段に対する操作が行われたことに応じて、前記拡大表示の表示範囲を、前記画像の合焦位置に移動させる制御手段と、を有することを特徴とする。
【発明の効果】
【０００７】
本発明によれば、ユーザーがより直感的な操作方法で特定の被写体の確認を行うための表示に遷移させることができる。
【図面の簡単な説明】
【０００８】
【図１】本発明の実施形態に係るデジタルカメラの外観構成の一例を示す図である。
【図２】本発明の実施形態に係るデジタルカメラの内部構成例を示すブロック図である。
【図３】本発明の実施形態に係るデジタルカメラの起動から終了までの基本的な処理手順の一例を示すフローチャートである。
【図４】撮影準備動作指示を受けている時に表示される画面の一例を示す図である。
【図５】再生モードにおける再生処理手順の一例を示すフローチャートである。
【図６】通常表示されている画像の一例を示す図である。
【図７】拡大表示の詳細な処理手順の一例を示すフローチャートである。
【図８】合焦位置に関する属性情報の一例を示す図である。
【図９】通常の表示から拡大表示に遷移した直後の表示画面の一例を示す図である。
【図１０】次の合焦位置に遷移した後の拡大画像の一例を示す図である。
【発明を実施するための形態】
【０００９】
以下、図面を参照して本発明の好適な実施形態を説明する。
図１は、本実施形態に係る撮像装置の一例であるのデジタルカメラ１００の外観構成の一例を示す図である。
図１において、表示部２８は画像や各種情報を表示する表示部である。また、表示部２８はタッチパネルで構成されており、表示部２８に対する接触を検知することができる。シャッターボタン６１は撮影指示を行うためのボタンである。モードダイアル６０は各種モードを切り替えるための操作部材である。コネクタ１１２は、接続ケーブルとデジタルカメラ１００とを接続するためのコネクタである。
【００１０】
操作部７０は、ユーザーからの各種操作を受け付ける各種スイッチ、ボタン、タッチパネル等の操作部材よりなる。コントローラホイール７３は、操作部７０に含まれる回転操作可能な操作部材であり、方向ボタンと共に選択項目を指示する際などに使用される。電源スイッチ７２は、電源オン、電源オフを切り替えるためのスイッチである。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０３は記録媒体スロット２０１の蓋である。
【００１１】
図２は、本実施形態に係るデジタルカメラ１００の内部構成例を示すブロック図である。
図２において、撮影レンズ１０３はフォーカスレンズを含むレンズであり、シャッター１０１は絞り機能を備えている。撮像部２２は光学像を電気信号に変換するＣＣＤやＣＭＯＳ素子等で構成される。Ａ／Ｄ変換器２３は、撮像部２２から出力されるアナログ信号をデジタル信号に変換する。バリア１０２は、デジタルカメラ１００の、撮影レンズ１０３を含む撮像系を覆うことにより、撮影レンズ１０３、シャッター１０１、および撮像部２２を含む撮像系の汚れや破損を防止する。
【００１２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像して得られた画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像して得られた画像データを用いて所定の演算処理を行い、得られた演算結果に基づいてＴＴＬ方式のＡＷＢ（オートホワイトバランス）処理も行っている。
【００１３】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２からＡ／Ｄ変換器２３を介して得られた画像データや、表示部２８に表示するための画像データを格納する。また、メモリ３２は、所定枚数の静止画像データや所定時間の動画像データおよび音声データを格納するのに十分な記憶容量を備えている。表示部２８を用いて撮影した画像を逐次表示すれば、電子ファインダー機能（スルー画像表示）を実現することが可能である。
【００１４】
また、メモリ３２は、画像表示用のメモリ（ビデオメモリ）を兼ねている。Ｄ／Ａ変換器１３は、メモリ３２に格納されている画像表示用のデータをアナログ信号に変換して表示部２８に供給する。これにより、メモリ３２に書き込まれた表示用の画像データはＤ／Ａ変換器１３を介して表示部２８により画像として表示される。表示部２８は、ＬＣＤ等の表示器上に、Ｄ／Ａ変換器１３からのアナログ信号に応じた表示を行う。
【００１５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００１６】
システム制御部５０は、デジタルカメラ１００全体を制御する。前述した不揮発性メモリ５６に記録されたプログラムを実行することにより、後述する本実施形態の各処理を実現する。システムメモリ５２は例えばＲＡＭであり、システムメモリ５２には、システム制御部５０の動作用の定数、変数、不揮発性メモリ５６から読み出したプログラム等が展開される。また、システム制御部５０はメモリ３２、Ｄ／Ａ変換器１３、表示部２８等を制御することにより表示制御も行う。
【００１７】
モードダイアル６０、第１シャッタースイッチ６２、第２シャッタースイッチ６４、および操作部７０は、システム制御部５０に各種の動作指示を入力するための操作手段である。モードダイアル６０は、システム制御部５０の動作モードを静止画および動画を記録可能な撮影モード、再生モード等のいずれかに切り替える。
【００１８】
第１シャッタースイッチ６２は、デジタルカメラ１００に設けられたシャッターボタン６１の操作途中、いわゆる半押し（撮影準備動作指示）でＯＮとなり、第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作（以下、これらのうち少なくとも１つを撮影準備動作と称す）を開始する。これらの処理はシステム制御部５０の制御によって行われる。
【００１９】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２による信号読み出しから記録媒体２００に画像データを書き込むまでの一連の撮影処理の動作を開始する。
【００２０】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、４方向ボタンやＳＥＴボタンとを用いて直感的に各種設定を行うことができる。
【００２１】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２２】
ズームレバー９０は、シャッターボタン６１の周りに備えられ、撮影モード時ではズーム操作し、再生モード時では画像の拡大やインデックス表示へ画面遷移するための操作手段である。本実施形態ではズームレバー９０を右回転する操作をＴＥＬＥ操作とし、左回転する操作をＷＩＤＥ操作とする。撮影時にＴＥＬＥ操作をすると望遠側（Tele側）に光学ズームし、ＷＩＤＥ操作をすると、広角側（Wide側）に光学ズームする。なお、画像の再生（全体表示）時にＴＥＬＥ操作が行われると画像の拡大（電子ズーム）、あるいはマルチ表示画面からシングル再生への切り替え、あるいはマルチ表示画面においてより枚数の少ないマルチ表示画面への切り替えが行われる。また、画像の再生時にＷＩＤＥ操作が行われると、画像の縮小（電子ズーム）、あるいはシングル再生からマルチ表示画面への切り替え、マルチ表示画面のうち、より枚数の多いマルチ表示画面への切り替えが行われる。
【００２３】
電源部３０は、アルカリ電池やリチウム電池等の一次電池やＮｉＣｄ電池やＮｉＭＨ電池、Ｌｉ電池等の二次電池、ＡＣアダプター等からなる。インターフェース１８はメモリカードやハードディスク等の記録媒体２００とのインターフェースである。記録媒体２００は、メモリカード等の記録媒体であり、半導体メモリや磁気ディスク等から構成される。
【００２４】
なお、本実施形態に係るデジタルカメラ１００は、操作部７０の一つとして、表示部２８に対する接触を検知可能なタッチパネルを有しており、タッチパネルと表示部２８とは一体的に構成することができる。例えば、光の透過率が表示部２８の表示を妨げないようにタッチパネルを構成し、表示部２８の表示面の上層に取り付けられる構成とする。そして、タッチパネルにおける入力座標と、表示部２８上の表示座標とを対応付ける。これにより、あたかもユーザーが表示部２８上に表示された画面を直接的に操作可能であるかのようなＧＵＩ（グラフィカルユーザーインターフェース）を構成することができる。
【００２５】
システム制御部５０は、タッチパネルへの以下の操作、あるいは状態を検出することができる。
・タッチパネルを指やペンで触れていない状態から触れたこと。すなわち、タッチの開始（以下、タッチダウン（Touch-Down）と称する）。
・タッチパネルを指やペンで触れている状態であること（以下、タッチオン（Touch-On）と称する）。
・タッチパネルを指やペンで触れたまま移動していること（以下、タッチムーブ（Touch-Move）と称する）。
・タッチパネルへ触れていた指やペンを離したこと（以下、タッチアップ（Touch-Up）と称する）。
・タッチパネルに何も触れていない状態（以下、タッチオフ（Touch-Off）と称する）。
【００２６】
これらの操作・状態や、タッチパネル上に指やペンが触れている位置座標は内部バスを通じてシステム制御部５０に通知され、システム制御部５０は通知された情報に基づいてタッチパネル上にどのような操作が行われたかを判定する。タッチムーブについてはタッチパネル上で移動する指やペンの移動方向についても、位置座標の変化に基づいて、タッチパネル上の垂直成分・水平成分毎に判定する。ここで、タッチパネル上をタッチダウンから一定のタッチムーブを経てタッチアップをしたとき、ストロークを描いたこととする。そして、素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行われたものと判定される。また、所定距離以上を、所定速度未満でタッチムーブしたことが検出された場合はドラッグが行われたものと判定されるものとする。また、画面上の任意の１点を軽く叩く（プレス＆リリース）操作を「シングルタッチ」と呼び、画面上の任意の１点を２回連続で軽く叩く（プレス＆リリースを２セット繰り返す）操作を「ダブルタッチ」と呼ぶ。
【００２７】
以上のように述べた「フリック」、「ドラッグ」、「シングルタッチ」、および「ダブルタッチ」の操作はタッチパネルに触れている指またはペンが１点である場合の操作である。以下、タッチパネルに複数の点がタッチダウンされている状態で行われる操作について説明する。
【００２８】
「ピンチ」とは２本の指またはペンでつまむ操作のことである。「ピンチイン」とは、２本の指またはペンをタッチパネル上に載せてその間隔を縮める操作のことである。「ピンチアウト」とはピンチインとは逆に、２本の指またはペンをタッチパネル上に載せて各々の間を広げる操作のことである。近年ではこのピンチアウトの操作によって表示されている画像の拡大制御をおこない、ピンチインの操作によって表示されている画像の縮小制御を行うことが一般的である。また、ピンチ状態、つまり２点がタッチダウンされているときの中間の点を、本実施形態では「ピンチ中心点」と呼ぶことにする。また、タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いてもよい。
【００２９】
図３は、本実施形態に係るデジタルカメラ１００の起動から終了までの基本的な処理手順の一例を示すフローチャートである。この処理は、不揮発性メモリ５６に記録されたプログラムをシステムメモリ５２に展開してシステム制御部５０が実行することにより実現される。
【００３０】
まず、ユーザーにより電源スイッチ７２が操作され、電源がＯＮにされることにより処理を開始し、Ｓ３０１において、モードダイアル６０の位置により撮影モードか否かを判定する。この判定の結果、撮影モードである場合はＳ３０３へ進み、撮影モードでない場合はＳ３０２に進む。そして、Ｓ３０２において、モードダイアル６０の位置により再生モードであるか否かを判定する。この判定の結果、再生モードである場合は、Ｓ３０６において、再生モード処理を行う。なお、再生モード処理（シングル再生）の詳細については後述する。一方、Ｓ３０２の判定の結果、再生モードでない場合はＳ３０４に進む。
【００３１】
一方、Ｓ３０３においては、撮影モードの処理を行う。ここで撮影モードの処理とは、静止画撮影や、動画撮影などが含まれる。また、Ｓ３０４においては、その他の処理を行う。ここでその他の処理とは、現在の時刻を表示するだけの時計表示モードでの処理などがあげられる。それぞれのモード処理が終了すると、Ｓ３０５へ進み、ユーザーにより電源スイッチ７２が操作され、デジタルカメラ１００の動作をシャットダウンさせる指示を受けたか否かを判定する。シャットダウンさせる指示を受けた場合は動作を終了し、シャットダウンさせる指示を受けていない場合はＳ３０１に戻る。
【００３２】
図４は、Ｓ３０３の撮影モードの処理においてシャッターボタン６１が半押しにされている時（撮影準備動作指示を受けている時）に表示部２８に表示される画面の一例を示す図である。図４に示す例では、合焦位置の数は３であり、このときの合焦位置およびその数の情報がシャッターボタン６１の全押し（撮影）後に記録媒体２００にタグ情報として画像ファイルとともに記録される。
【００３３】
以下、本実施形態では、再生モードにおいて少ない手番でかつ直感的に合焦箇所の確認のできる最適な方法について説明する。
【００３４】
図５は、再生モードにおける再生処理手順の一例を示すフローチャートである。この処理は、不揮発性メモリ５６に記録されたプログラムをシステムメモリ５２に展開してシステム制御部５０が実行することにより実現される。
まず、Ｓ５０１において、記録媒体２００から画像データを読み出し、その画像を１画面に１枚、全体が収まるように表示部２８に表示する。図６には、Ｓ５０１の処理により表示部２８に表示される画像の一例を示している。
【００３５】
次に、Ｓ５０２において、ユーザーによりズームレバー９０がＴＥＬＥ操作されたことを検出したかどうかを判定する。この判定の結果、ＴＥＬＥ操作されたことを検出した場合は、Ｓ５０８に進む。このＳ５０８における拡大表示処理の詳細については後述する。一方、Ｓ５０２の判定の結果、ＴＥＬＥ操作されたことを検出していない場合はＳ５０３に進む。
【００３６】
Ｓ５０３においては、ユーザーによりＳＥＴボタンが押下されたことを検出したか否かを判定する。この判定の結果、ＳＥＴボタンが押下されたことを検出した場合はＳ５０４へ進み、ＳＥＴボタンが押下されたことを検出していない場合はＳ５０５へ進む。
【００３７】
Ｓ５０４においては、シングル再生中にＳＥＴボタンに割り当てられている処理を行う。本実施形態では、シングル再生中にＳＥＴボタンが押下されると、選択メニュー（以下、ＦＵＮＣメニュー）を表示部２８に表示する。ＦＵＮＣメニューには、例えば、スライドショー再生を指示するメニュー項目、表示されている画像に対してお気に入りや分類情報、プロテクトといった属性情報を付与するためのメニュー項目がある。さらには、表示されている画像を削除するメニュー項目、表示されている画像を印刷指定するメニュー項目などがある。
【００３８】
本実施形態では、ＦＵＮＣメニューが表示されると、シングル再生処理の動作状態とは異なるＦＵＮＣメニュー用の処理を一旦行うため、図５の処理を終了する。そして、ＦＵＮＣメニュー用の処理が終了すると、シングル再生処理に戻るため、Ｓ５０１の処理に戻る。
【００３９】
一方。Ｓ５０５においては、その他のボタン等が操作されたことを検出したか否かを判定する。この判定の結果、その他のボタン等が操作されたことを検出した場合はＳ５０６へ進み、その操作に応じた処理を行う。一方、その他のボタン等が操作されたことを検出していない場合はＳ５０７へ進む。
【００４０】
ここで、その他のボタン等の操作としては、例えば４方向ボタンに対する操作がある。４方向ボタンのうち、押下されたボタンの方向に応じて、Ｓ５０６では上下方向であれば画像の削除、転送、プロテクトなどの指示を行い、左右方向であれば画像送り（次または前の画像を表示すること）を行う。また、タッチパネル上で左方向または右方向へタッチムーブされた場合には画像送りを行う。さらに、上下方向へタッチムーブが行われた場合には、タッチムーブの軌跡に応じた処理であるタッチジェスチャー処理として、画像の転送、削除、プロテクトなどのうち、軌跡に応じた処理を行う。
【００４１】
また、その他のボタン等の操作として、例えばズームレバー９０のＷＩＤＥ操作がある。この場合は、Ｓ５０６において、複数の画像を一覧表示するインデックス表示（マルチ表示画面）に遷移する。そして、Ｓ５０２へ戻る。
【００４２】
一方、Ｓ５０７においては、再生モードを終了する指示を受けたか否かを判定する。ここで、再生モードを終了する場合とは、ユーザーにより電源スイッチ７２が操作された場合や、撮影モードへ移行させるためにユーザーによりモードダイアル６０が操作された場合などがある。この判定の結果、再生モードを終了する指示を受けた場合は処理を終了し、再生モードを終了する指示を受けていない場合はＳ５０２へ戻る。
【００４３】
図７は、図５のＳ５０８における拡大表示の詳細な処理手順の一例を示すフローチャートである。この処理は、不揮発性メモリ５６に記録されたプログラムをシステムメモリ５２に展開してシステム制御部５０が実行することにより実現される。
まず、Ｓ７０１において、シングル再生により表示されている画像を２倍に拡大して画像全体のうちの一部の領域を表示する。ここで拡大処理を行う場合には、画像の中心を基準として拡大する。すなわち、シングル再生により表示されていた画像の中心は、Ｓ７０１の拡大表示処理により表示される画像の一部領域の中心と同じ位置である。
【００４４】
次に、Ｓ７０２において、フォーカスジャンプモードをＯＦＦに設定し、フォーカスジャンプモードを初期化する。具体的には、システムメモリ５２に保持されているフォーカスジャンプモードフラグをＯＦＦにセットする。ここでフォーカスジャンプモードフラグとは、ＳＥＴボタンが押下されてから少なくとも一度は合焦位置にジャンプしたかどうかを示すフラグである。合焦位置にジャンプしたことがあり、フォーカスジャンプモードフラグがオンである場合は、フォーカスジャンプモードがＯＮであるものとする。Ｓ７０２の段階では、通常の表示から拡大表示に遷移してきただけであるため、ジャンプした履歴はまだなく、フォーカスジャンプモードがＯＦＦとなる。
【００４５】
次に、Ｓ５０３において、システムメモリ５２に保持されている指定枠変数ｉを０に初期化する。ここで指定枠変数ｉとは、拡大表示すべき合焦枠の合焦枠順位を指定するための変数である。以下、合焦枠順位について説明する。
【００４６】
再生対象の画像データには、撮影時の合焦位置に関する情報が属性情報として保持されている。例えば、図６に示す画像の場合、合焦枠順位と合焦位置との関係は図８に示すような結果になる。図８に示す例のように、顔画像と合焦位置とを対応させてもよいが、合焦位置は、それぞれＩＤが付けられ、画像中の座標で示された範囲、あるいは合焦中心位置の１点を示す情報として管理される。このように合焦位置の情報は画像データの属性情報として記録されているものとする。
【００４７】
図８に示す例は、撮影時のＡＦの設定が、顔優先してフォーカスする顔ＡＦに設定されている場合の例である。そのため、合焦位置はすべて顔の範囲となっている。なお、撮影時のＡＦの設定が顔ＡＦであっても、風景やモノなど、顔のない場面を撮影した場合や、顔ＡＦ以外の設定で撮影した場合は顔の範囲が合焦位置にならない場合もある。
【００４８】
また、指定枠変数ｉを決定する際には、撮影時に主被写体となったものから高い順番をつけていく。なお、どの合焦位置が主被写体の合焦位置であるかの情報も画像データの属性情報として記録されているものとする。図６に示す画像において、撮影時に中央に存在する顔を主被写体とするように決定されていた場合は、画像の中央に存在する顔は合焦枠順位が一番高くなり、指定枠変数ｉ＝１となる。同様に他の合焦枠についても指定枠変数ｉ＝２、３というように合焦枠順位が付けられる。指定枠変数ｉの上限は最大で２０程度であるものとする。Ｓ７０３では、通常の表示から拡大表示に遷移した段階であり、合焦位置を指定している状態ではないため、指定枠変数ｉ＝０としておく。
【００４９】
次に、Ｓ７０４において、拡大表示されている画像の属性情報を参照し、合焦位置が少なくとも１つ存在しているか否かを判定する。この判定の結果、合焦位置が少なくとも１つ存在する場合はＳ７０５へ進み、合焦位置が１つもない場合はＳ７０６へ進む。Ｓ７０５においては、ＳＥＴボタンを押下してフォーカスジャンプモードに遷移できることを示すアイコン９０１を拡大画像に重畳して表示する。
【００５０】
図９は、合焦位置を１つ以上有している場合に、通常の表示から拡大表示に遷移した直後の表示画面の一例を示す図である。拡大表示されている状態からフォーカスジャンプモードに遷移してフォーカスチェックをするための表示に遷移できることをユーザーは予期しにくい。そこで本実施形態では、ガイドとして図９に示すようなアイコン９０１を表示することによって、ＳＥＴボタンを操作して拡大範囲を合焦位置にジャンプできることを明示している。
【００５１】
次に、Ｓ７０６において、ユーザーによりＳＥＴボタンが押されたことを検出したかどうかを判定する。この判定の結果、ＳＥＴボタンが押下されたことを検出した場合はＳ７０７へ進み、ＳＥＴボタンが押下されたことを検出していない場合はＳ７１２へ進む。Ｓ７０７においては、拡大表示されている画像の属性情報を参照し、合焦位置が少なくとも１つ存在しているかどうかを判定する。この判定の結果、合焦位置が少なくとも１つ存在する場合はＳ７０８へ進み、合焦位置が１つも存在しない場合はＳ７０６へ戻る。
【００５２】
Ｓ７０８においては、システムメモリ５２に保持されているフォーカスジャンプモードフラグを参照し、フォーカスジャンプモードがＯＮであるかどうかを判定する。この判定の結果、フォーカスジャンプモードがＯＮである場合はＳ７１０へ進み、ＯＦＦである場合はＳ７０９へ進む。なお、通常表示から拡大表示に遷移した後に最初にＳＥＴボタンが押下された場合は、フォーカスジャンプモードがＯＦＦであるため、Ｓ７０９へ進むことになる。
【００５３】
Ｓ７０９においては、システムメモリ５２に保持されているフォーカスジャンプモードフラグをオンにセットし、フォーカスジャンプモードをＯＮに設定する。また、Ｓ７０５で表示されたアイコン９０１に代えて、アイコン９０１とは表示形態の異なる、図１０に示すようなフォーカスジャンプアイコン１００１を表示する。フォーカスジャンプアイコン１００１は、ＳＥＴボタンの押下に応じて、次の順位の合焦位置に拡大位置を変更できることを示している。
【００５４】
次に、Ｓ７１０において、システムメモリ５２に保持されている指定枠変数ｉを１つインクリメントする。なお、通常表示から拡大表示に遷移した後に最初にＳＥＴボタンが押下された場合は指定枠変数ｉ＝１となる。
【００５５】
次に、Ｓ７１１において、表示部２８に表示する領域（拡大範囲）を、指定枠変数ｉが示す順位の合焦位置の拡大画像に変更する。すなわち、画像の属性情報に含まれる合焦位置の情報のうち、移動先として合焦枠順位がｉ番目である合焦位置の情報が示す範囲の中心あるいは合焦位置の情報が示す１点が、表示される範囲の中央となるように拡大範囲を変更する。このように、合焦枠順位がｉ番目の合焦位置の中心が拡大表示されるように、拡大範囲をジャンプする。これによって、拡大表示されている状態からフォーカスを確認することができるようになる。その後、Ｓ７０６へ進み、イベント受信待機状態となる。
【００５６】
一方、Ｓ７１２においては、ユーザーによりズームレバー９０がＴＥＬＥ操作されたことを検出したか否かを判定する。この判定の結果、ＴＥＬＥ操作されたことを検出した場合はＳ７１３へ進み、ＴＥＬＥ操作があったことを検出しなかった場合はＳ７１４へ進む。Ｓ７１３においては、拡大倍率を変更し、表示されている画像を更に拡大して表示する。通常表示から拡大表示に遷移した直後においては、２倍の拡大倍率であるため、２倍より大きい拡大倍率となる。また、フォーカスジャンプモードはＯＮに設定する。そのご、Ｓ７０６へ進み、イベント受信待機状態となる。
【００５７】
一方、Ｓ７１４においては、ユーザーによりズームレバー９０がＷＩＤＥ操作されたことを検出したか否かを判定する。この判定の結果、ＷＩＤＥ操作されたことを検出した場合はＳ７１５へ進み、ＷＩＤＥ操作されたことを検出しなかった場合はＳ７１７へ進む。
【００５８】
Ｓ７１５においては、現在表示されている画像の拡大倍率が２倍の状態かどうかを判定する。この判定の結果、２倍の状態である場合は通常表示に戻るため、図５のＳ５０１の処理に進む。一方、２倍の状態ではない場合はＳ７１６へ進む。そして、Ｓ７１６において、拡大倍率を変更して、表示されている画像を縮小する。このとき、縮小後の画像のサイズは通常表示の倍率と比べて２倍以上であるものとする。そして、Ｓ７０６へ進み、イベント受信待機状態となる。
【００５９】
一方、Ｓ７１７においては、４方向ボタンへの操作あるいはタッチパネルに対するタッチムーブがあったことを検出したか否かを判定する。これらの操作は、拡大表示の表示範囲をユーザーが任意に変更する操作である。この判定の結果、４方向ボタンへの操作あるいはタッチムーブがあったことを検出した場合はＳ７１８に進み、そうでない場合はＳ７１９に進む。Ｓ７１８においては、システム制御部５０は、拡大表示する表示範囲を、４方向ボタンの操作あるいはタッチムーブに応じた方向に変更する。この時の表示範囲は、合焦位置が顔の位置に関わらずに変更可能であり、合焦位置以外も表示させることができる。すなわち、ユーザーの操作により任意の位置に拡大表示の表示範囲が変更される。
【００６０】
一方、Ｓ７１９においては、拡大表示を終了するか否かを判定する。ここで、拡大表示を終了するか否かの基準は、図５のＳ５０７と同様である。この判定の結果、拡大表示を終了する場合は処理を終了し、拡大表示を終了しない場合はＳ７０６へ戻り、イベント受信待機状態となる。
【００６１】
なお、拡大表示処理へ遷移した後、指定枠変数ｉ＞１である場合は、Ｓ７０６、Ｓ７０７、Ｓ７０８、Ｓ７１０、およびＳ７１１の処理を繰り返し遷移する。このように、複数の合焦位置があったときに同じＳＥＴボタンを繰り返し押下することにより、複数の合焦位置を順次拡大して表示させ、その回数分ピントが合っているかどうかを順次確認することができる。つまり、本実施形態では、再生モードに起動後、通常表示の状態から一旦ＴＥＬＥ操作をして拡大表示に遷移し、ＳＥＴボタンが押下されることによって拡大範囲に合焦位置の中心が収まるように拡大範囲をジャンプする。このように、フォーカスを確認するための直感的な操作方法を提供することができる。
【００６２】
なお、本実施形態では、画像の属性情報に含まれる合焦位置をジャンプ対象として、順次拡大して表示する例を説明したが、これに限るものではなく、合焦位置によらず人物の顔の領域を順次拡大して表示する場合にも適用可能である。その場合、Ｓ７０４の処理では、画像の属性情報に顔の領域の情報があるか否か、および再生されている画像データに顔検出処理を施した結果、顔が検出されたか否かを判定する。そして、いずれか一方の条件を満たす場合はＳ７０５に進み、ＳＥＴボタンの押下により顔ジャンプモードに遷移できることを示すアイコンを表示する。Ｓ７０７の処理についても、Ｓ７０４の判定と同様に、顔に関する判定となる。また、指定枠変数ｉは、複数の顔のうち、拡大表示すべき顔を指定する変数となる。
【００６３】
さらに、合焦位置と、顔の位置とを混合してジャンプ対象とすることも可能である。その場合、Ｓ７０４の処理では、画像の属性情報に合焦位置の情報があるか否か、画像の属性情報に顔の領域の情報があるか否か、および再生されている画像データに顔検出処理を施した結果、顔が検出されたか否かを判定する。少なくとも１つの条件を満たす場合はＳ７０５に進み、ＳＥＴボタンの押下により合焦位置／顔位置ジャンプモードに遷移できることを示すアイコンを表示する。Ｓ７０７の処理についても、Ｓ７０４の判定と同様に、合焦位置および顔に関する判定となる。
【００６４】
また、指定枠変数ｉは、単数または複数の合焦位置、及び単数または複数の顔のうちのいずれかを拡大表示する指定を行う変数となる。このとき、ジャンプする順番（指定枠変数ｉで指定する順番）は、まず、合焦枠順位の高い順から低い順（１番〜最後の順番）に指定し、その後、顔の順位の高い順から低い順に指定し、その後、再度合焦枠順位の高い順から指定する。すなわち、拡大表示している状態でＳＥＴボタンが押下されると、まずは主被写体の合焦位置が拡大範囲となって表示される。その後、ＳＥＴボタンが繰り返し押下されると、合焦枠順位の高い合焦位置の拡大画像から低い合焦位置の拡大画像が順次表示され、その後に順位の高い顔の拡大画像から低い顔の拡大画像が順次表示される。その後、再び合焦枠順位の高い合焦位置の拡大画像が表示される。これにより、合焦位置と顔との混同が少なくなり、好適である。
【００６５】
また、本実施形態では、Ｓ７０９で表示するアイコンをフォーカスジャンプアイコン１００１としたが、例えば次に選択される領域が人の顔であることが予め分かっている場合は、アイコンを顔モチーフのアイコンに変えてもよい。これにより、次のジャンプ先が顔の領域であることをより明示的にすることができる。また、本実施形態では、シングル再生中（通常表示中）はＳＥＴボタンの機能をＦＵＮＣメニュー表示に割り当てたが、拡大表示中はＦＵＮＣメニューを表示することを制限しているため、他の操作を割り当てることが可能である。そこで、本実施形態では拡大表示ではＳＥＴボタンにフォーカスジャンプ機能を割り当てることにより、少ない操作部材で直感的な操作を実現することが可能となる。
【００６６】
以上のように本実施形態によれば、拡大表示中に、従来は機能が割り当てられていなかった操作部材にフォーカス位置にジャンプする機能を割り当てるようにした。これにより少ない手番で、かつ、より直感的に合焦箇所の確認が可能となる。
【００６７】
なお、システム制御部５０の制御は１つのハードウェアが行ってもよいし、複数のハードウェアが処理を分担することで、装置全体の制御を行ってもよい。また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６８】
また、上述した実施形態においては、本発明をデジタルカメラに適用した場合を例にして説明したが、これはこの例に限定されず、複数の操作部を有する表示制御装置であれば適用可能である。すなわち、本発明はパーソナルコンピュータやＰＤＡ、携帯電話端末や携帯型の画像ビューワ、などに適用可能である。
【００６９】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶したコンピュータ読み取り可能な記憶媒体は本発明を構成することになる。
【符号の説明】
【００７０】
２８  表示部
７０  操作部
９０  ズームレバー
【図１】
2015041150.tif 000003
【図２】
2015041150.tif 000004
【図３】
2015041150.tif 000005
【図４】
2015041150.tif 000006
【図５】
2015041150.tif 000007
【図６】
2015041150.tif 000008
【図７】
2015041150.tif 000009
【図８】
2015041150.tif 000010
【図９】
2015041150.tif 000011
【図１０】
2015041150.tif 000012